(57)【要約】【課題】血中のヘモグロビンなどの大分子及び組織などの影響を排除して血糖値を測定する。【解決手段】圧迫により血管を虚血状態、鬱血状態或いは通常の血流状態にして血中の糖の濃度を計測する。【選択図】図１４
2005305091.tif 000002
【特許請求の範囲】
【請求項１】
非侵襲の血糖計測装置において、人体の計測領域を圧迫して虚血状態をつくる手段を有し、異なった分光感度を持つ複数の分光測定手段を有し、その分光測定手段は少なくとも測定域の物質の数以上であり、その中の少なくとも一つは糖の分光吸収特性のピーク値に波長差１００ｍμ以内で合っており、その中の他の一つは水の分光吸収特性のピーク値に波長差１００ｍμ以内で合っており、少なくとも水成分と糖成分を算出する手段を有し、水成分を基礎として血糖値を算出する手段を有し、その血糖値或いは血糖値を加工してメモリーする手段を有し、そのメモリー或いはメモリーをさらに加工して表示或いは出力する装置
【請求項２】
非侵襲の血糖計測装置において、人体の計測領域のより心臓に近い部分を圧迫して計測領域を鬱血状態にさせかつその圧迫を解除して通常状態に戻す手段を有し、鬱血状態において複数の異なった分光データを得るための測定手段を有し、通常状態において同一の複数の異なった分光データを得る測定手段を有し、鬱血状態の分光データと圧迫虚血状態の分光データから血液のみの分光データを算出して血糖値を算出する手段を有し、その血糖値或いは血糖値を加工してメモリーする手段を有し、そのメモリー或いはメモリーをさらに加工して表示或いは出力する装置
【請求項３】
非侵襲の血糖計測装置において、人体の計測領域を圧迫して虚血状態をつくる手段を有し、被計測域に対し測定光を入射する手段を有し、被計測域からの光を異なった多光路を経由して取り出す射出受光する手段を有し、それら入射手段或いは射出手段は異なった分光感度を持つ複数の分光測定手段を有し、その分光測定手段は少なくとも測定域の物質の数より大であり、その中の少なくとも一つは糖の分光吸収特性のピーク値に波長差１００ｍμ以内で合っており、その中の他の一つは水の分光吸収特性のピーク値に波長差１００ｍμ以内で合っており、少なくとも水成分と糖成分を算出する手段を有し、水成分を基礎として血糖値を算出する手段を有し、その血糖値或いは血糖値を加工してメモリーする手段を有し、そのメモリー或いはメモリーをさらに加工して表示或いは出力する装置
【請求項４】
非侵襲の血糖計測装置において、人体の計測領域のより心臓に近い部分を圧迫して計測領域を鬱血状態にさせかつその圧迫を解除して通常状態に戻す手段を有し、鬱血状態において複数の異なった分光データを得るための測定手段を有し、通常状態において同一の複数の異なった分光データを得る測定手段を有し、その測定手段の中の少なくとも一つは糖の分光吸収特性のピーク値に波長差１００ｍμ以内で合っており、その中の他の一つは水の分光吸収特性のピーク値に波長差１００ｍμ以内で合っており、鬱血状態の分光データと通常状態の分光データから血液のみの分光データを算出して少なくとも水成分と糖成分を算出する手段を有し、水成分を基礎として血糖値を算出する手段を有し、その血糖値或いは血糖値を加工してメモリーする手段を有し、そのメモリー或いはメモリーをさらに加工して表示或いは出力する装置
【請求項５】
非侵襲の血糖計測装置において、人体の指測領域をある温度域で温度が制御される手段を有し、ある温度の温度に対して人体の指測領域のより心臓に近い部分を圧迫して測定領域に鬱血状態をつくる手段を有し、その鬱血状態にたいして異なった分光感度を持つ複数の分光測定手段を有し、それら測定値をメモリーする手段を有し、次に鬱血状態を解除して通常状態をつくる手段を有し、その通常状態に対して同一の分光測定手段を有し、それら測定値をメモリーする手段を有し、別のある温度の温度に対して人体の指測領域のより心臓に近い部分を圧迫して測定領域に鬱血状態をつくる手段を有し、その鬱血状態にたいして異なった分光感度を持つ複数の分光測定手段を有し、それら測定値をメモリーする手段を有し、次に鬱血状態を解除して通常状態をつくる手段を有し、その通常状態に対して同一の分光測定手段を有し、それら測定値をメモリーする手段を有し、それら複数のメモリー値から血中のみに対する測定値を演算する手段を有し、血中のみの測定値から少なくとも水成分と糖成分を算出する手段を有し、水成分を基礎として血糖値を算出する手段を有し、その血糖値或いは血糖値を加工してメモリーする手段を有し、そのメモリー或いはメモリーをさらに加工して表示或いは出力する装置
【発明の詳細な説明】
【技術分野】  本発明は血糖検出装置に関する。
【背景技術】  従来は採血して血糖濃度を計測して来た。採血は皮膚を物理的に切断して毛細血管の血を取り出して、血糖濃度の計測は血中の糖を化学的に或いは物理学的に検出している。
【発明が解決しようとする課題】
問題は採血に際し皮膚を切断することである。それは切断に対し本能的に拒否反応が生じることを発端とし、切断に伴う痛さであるとか、数ヶ月あるいはそれ以上に渡る多数回の計測により測定部位の皮膚角膜層がだんだん厚くなり適当な切断部位がすくなくなるとか、或いは切断の大きさをだんだんより大きくしなければいけないとか、皮膚切断による病原菌感染の問題とか  等々問題は列挙されてきた。
これらに対して非侵襲方式、つまり採血しない方式が提案されてきた。が問題が多く実用化にはいたってない。これらは血中の糖濃度を光を使って計測する方法で、手段は透過光であるとか、反射光とか、或いはラマン散乱光とか、蛍光とかとかを用いて分光的にデータを取り出し、データ処理して糖信号をとりだすシステムになっている。しかしその信号に対し有害信号が圧倒的に多く十分な信号のレベルになっていないので計測できていない。
本発明はこの有害信号を除去して十分な信号を検出装置に関するものである。
【課題を解決するための手段】
従来の採血方式の中で光学的に透過光を用いて血中の各成分を分析するものとか、ラマン分光を用いて血中の各成分を求めるものが報告され、血糖値に関して実用上問題ない精度で求められると報告されている。しかし、詳しく観ると血中のヘモグロビンに代表される大分子の光学的特性が同じ血中の小分子である糖の光学的特性を覆い隠しており、ノイズ処理には十分な配慮がされていることが分る。しかし、これらの方式を生体の非侵襲方式として試みてみると何れも実用精度上問題があると報告されている。その原因として生体中では▲１▼血は流れておりこれが不確定なノイズになっている▲２▼血管以外の部分が大きなノイズ  と考えらる。
そこで、これらノイズ系を考慮して生体内の血管内、外の糖値を求める手段を示す。
一つは血管から大分子はしみ出しにくいが小分子はしみ出し易いことを応用して糖値を求める。しみ出した糖値は血管内の血糖値に比例している。これは、外部から皮膚を計測時間だけ圧迫して、すなわち血管の血を押し出し虚血状態をつくり血流をなくし、その状態で、皮膚の内部の糖を計測する。これにより血管からしみ出た糖が計測でき、血中の糖値が分る。
他の一つは血流を計測時間とめて鬱血させて計測し、次ぎに鬱血から通常の血流状態にして計測し信号レベルで（鬱血）−（通常の血流）をつくり生体ノイズ成分を除去して血糖値を計測するものである。
【発明を実施するための最良の形態】図１は指先を圧迫している虚血方式の説明図である。圧迫により比較的簡単に虚血状態をつくることができる。ＰＲＢは圧迫する部材をＰＲは圧迫している様子を示したものである。
図２は圧迫部ＰＲＢと被圧迫部すなわち圧迫部位の様子を模式的にしめした本発明の虚血方式の説明図である。指は圧迫部ＰＲＢにより圧迫され、その部位ＰＲＭには血はなく虚血状態になっている。その状態では血管からにじみ出た糖が細胞ＳＨ或いは体液ＳＴの中に存在しており、この糖濃度を計測する。圧迫部ＰＲＢの中にＰｏ，Ｐａ，Ｐｂ  の光路を設ける。Ｏは入射光ＩＩＯを皮膚に入射させ、Ｐａは皮膚からの射出光ＩＩＡを導き、Ｐｂは皮膚からの射出光ＩＩＢを導く。Ｏから入射させられた光は、細胞ＳＨ或いは体液ＳＴ中の光路ＯＡを通ってＡに到達し、同じようにＢにたいしては光路ＯＢを通ってＢに到達する。射出光ＩＩＡと射出光ＩＩＢを適当な受光部で受光して光路ＯＡと光路ＯＢの情報をとりだすことができる。表面近くは糖を含まない角質ＫＳ或いは有害成分が多い場合、これら情報から共通光路部分を引くことにより、その付近の有害光はとり除かれる。光学的濃度特性を考えてＯＡとＯＢの光の強度の比をとって共通光を除去してもよい。
図３は図２の光路の様子をさらに解説したものである。皮膚外ＯＴより、Ｏ点を通って皮膚内ＩＮに光が入射させられるものとする。皮膚内に入り拡散して光は進む。Ｏ点の光強度をＩＯとするとＡ°の光強度は定性的には
Ｉ１＝ＩＯ・Ｅｘｐ（−α・ｄＡ）−−−−−−−−（１）
と表される。ここでαは光路上での吸収定数、ｄＡはＯとＡ°の間の距離である。ここでＡ、Ｂには、皮膚にたいし垂直方向のみの光を受け取る特性をもっているとする。これは一般には受光角特性と呼ばれ、ここでは垂直のみ受光する特性を考える。受光角特性は受光部への入射光のレンズ系を含んだ角度制限を設けることにより任意のものが設計される。この場合垂直方向のみの感度をもっているとして垂直線上のある点をＡ°とした。その点の光強度は（１）式で表せるとした。このＩ１が２次の光源となって射出点Ａに導かれる。するとＡ点の光強度ＩＩ１は
ＩＩ１＝Ｉ１・Ｅｘｐ（−β・ｄ１）−−−−−−−−（２）
ここでβは光路上での吸収定数、ｄ１はＡ°とＡの間の距離である。
Ｂ点についてもＡ点の場合と同じように深さｄ１の点をＢ°としてＢ点の光強度をＩＩ２として
ＩＩ２＝Ｉ２・Ｅｘｐ（−β・ｄ１）−−−−−−−−（３）
またＩ２は定性的には
Ｉ２＝Ｉ１・Ｅｘｐ（−γ・ｄ２）−−−−−−−−（４）
ここでγは光路上での吸収定数、ｄ２はＡ°とＢ°の間の距離である。
そしてＩＩ１／ＩＩ２をとると
ＩＩ１／ＩＩ２＝（Ｉ１・Ｅｘｐ（−β・ｄ１））／（Ｉ１・Ｅｘｐ（−γ・ｄ２）・Ｅｘｐ（−β・ｄ１））＝Ｅｘｐ（−γ・ｄ２）−−−−−−−−（５）
となる。つまりＡ°点までとｄ１光路の情報は除外されて、光路Ａ°Ｂ°の情報がとりだされる。ここに説明したものは定性的なもので、例えば比例定数的なものは除いているし、光路Ａ°Ｂ°は直線で表しているが実際にはＡ°から散乱などをくりかえしてＢ°に到る。また皮膚内の光は均一な散乱ではなく入射光の入射点での拡散特性により強度分布はかわる。この拡散特性もまた光源の拡散特性を用いる光学系によりかえられることができる。
これらの様子を、ＯＡ間をＸ１、ＡＢ間をＸ２としてどの部位の情報を取り出すことができるか示したものが表である。組み合わせは４通りで、
（Ｘ１小、Ｘ２小）の場合は表皮の近くで短路
（Ｘ１小、Ｘ２大）の場合は表皮の近くで長路
（Ｘ１大、Ｘ２小）の場合は深部で短路
（Ｘ１大、Ｘ２大）の場合は深部で長路
の情報を得ることができる。
下方のＳ０、Ｓ１，Ｓ２，…Ｓｎ  はＳ０は入射光位置をＳ１，Ｓ２，…Ｓｎ  は射出光の位置を表している。複数個の射出部をとりいれることにより、同時あるいは短時間に複数情報が取り出せ、後処理によりＳ１，Ｓ２，…Ｓｎの任意の対、又は対の組み合わせ或いは任意の情報の組み合わせ  によって適当な部位の情報をとることができる。
図４は本発明の虚血方式の圧迫機構の例を模式的に示したものである。洗濯ばさみ型に構成され指先を圧迫している状態をしめしている。また虚血状態はたとえばヘモグロビンの有無をしらべればよい。例えば図３のＡ，Ｂの部位で、例えば圧迫に従い６００ｍμの光が急激に増加したらヘモグロビンがなく虚血状態になっている。この特性をもちいて例えば図４に応用すれば自動的に虚血状態を検出して計測に入り、計測が終了すれば圧迫機構を自動的にゆるめ、指への負担を極力軽くすることができる。発光部ＬＳと受光部ＤＴは同一側にあり、受光部ＤＴからの信号はＡ／Ｄ変換を経て演算処理をおこない必要な表示表示部ＤＰに表示している構成となっている。
図５は図２の圧迫部の斜視的な説明図である。ＩＩＯは入射光を、ＩＩＡとＩＩＢは射出光をを表している。
図６は図２の入射光或いは射出光の分光的な合成と分離の手段を示したものである。（左）ＬＦ図はダイクロイックミラーＤＣＭを用いてλ１、λ２、λ３  の各波長の光を合成したもので、取り出しはその逆に同じくダイクロイックミラーＤＣＭを用いて各波長に分離する。ここでは３個の波長にしているけれども３波長に限定するもではない。Σλｎの合成、分離はダイクロイックミラーを必要枚数用意することで可能である。この必要な波長λの個数は糖が他の成分から分離可能な必要個数により決まる。（左）ＬＦ図の場合は各波長同時処理の場合の合成、分離の一つの例をしめしたものである。（右）ＲＦ図の場合は他の時系列処理の一つの例である。入射光はファイバーを用いてλ１、λ２、λ３  を合成する。射出光にはＡ、Ｂともそれぞれ一個の、分光感度域が広い受光素子をとりつける。入射光のλ１、λ２、λ３を時系列で発光すればＡ，Ｂ側でも同じく時系列でλ１、λ２、λ３の情報が得られる。
図７は縦軸を吸光度（任意単位）ＫＤとし横軸を分光波長（単位ｍμ）にとり、水ＷＴ、糖ＧＣと酸化ヘモグロビンＨｂＯ２の分光吸収特性を示したものである。特に水は細胞、体液の中に必ず存在するものであるから、少なくとも水との分離を考慮して使用する波長を、例えば１２００ｍμ、１３００ｍμ、１４００ｍμ、１５００ｍμ、１６００ｍμ、１７００ｍμの中から選ぶことにより効率のよい糖成分の分離が考えられる。或いは波長の数は少なくとも各成分の数以上にしてそれら各成分の吸光度のピークを示す波長を含んでいてもよい。或いは波長の数は少なくとも各成分の数以上にしてラマン分光により多成分分析をしてもよい。いずれにしても分光的な情報から糖成分を得ることができる。
図８は図２の更に複雑な場合の説明図である。入射光Ｉ０がＳ０に入射し、Ｓ１、Ｓ２、Ｓ３．．．．から射出していろ状態を表している。又測定部位が変化している場合も示している。即ちＳ１、Ｓ’１  はＳ０から同心円上にあるが測定部位は複数個あることを示している。同様にＳ２、Ｓ’２、Ｓ”２  も同様である。これらの配置を用いて必用な測定部位の情報がえられる。
図９は虚血方式のブロック回路例である。発光部ＬＳよりλ１、λ２、λ３の各波長を発光して対象物例えば指ＦＮに、入射し、射出光を例えばＡ，Ｂを経て、あとの信号処理をしやすくするために受光部ＤＴからの信号をアナログ／デジタル変換Ａ／ＤＦし、糖の抽出演算処理ＥＦをして、必要な値等を表示ＤＰしている。受光する光は単純な光の減衰値であってもよいしラマン分光値であてもよい。
図１０は鬱血方式の本発明の説明である。▲１▼において血液ＫＴが鬱積している状態を表している。黒色が血を表している。血が血管組織を含めた組織１（ＳＳ１）と組織２（ＳＳ２）で閉じられた状態を示している。Ｈは入射光をつくる発光装置でＪは透過光を受ける受光部を表している。今Ｈは面積的に広い面光源とし、Ｊも又面積的に広い面受光部とする。又、Ｈの光の広がり方の角度はある指向性をもっており、Ｊの受光角度の特性も指向性をもっているとする。組織１（ＳＳ１）も、血も、組織２（ＳＳ２）も光を拡散さす性質を有しているからＪの直前の組織２（ＳＳ２）の中でのＪに捕らわれる各光線の様子、各光路ＯＲは広い面積をもった拡散光となっており、それら光をＪは受けることになる。
▲２▼は▲１▼とＨ，Ｊの光学的状況は同じであるが圧迫のない通常状態を示している。この場合のＪの直前の組織２の中でのＪに捕らわれる各光線の様子は広い面積をもった拡散光となっており、それら光をＪは受けることになり、▲１▼と同じである。▲１▼の組織１（ＳＳ１）と組織２（ＳＳ２）のＪの情報は▲２▼の組織１と組織２のＪの情報と同じであり、減算処理により血だけの情報を得ることができる。つまり指向性があったとしても拡散面光源と幅広い受光角特性をもつ面受光部が本発明の一つの要件となる。ＨとＪに角度的に指向性のない完全拡散特性であれば更に問題ない要件となる。又、ＨとＪの分光波長領域の構成は図６等で示した通りである。ただしこの場合は受光部は一個であり、光源は面光源であり受光部は面受光となっている。分光情報は光源と受光で必要な分担をすることで得ることができる。▲３▼と▲４▼の場合は、▲１▼と▲２▼に比べ▲３▼は▲１▼と同じ状態を▲４▼は▲１▼と同じ状態を表しているが、Ｊが面受光部ではなくて点受光部の場合である。又、Ｈの光の広がり方の角度はある指向性をもっており、Ｊの受光角度の特性も指向性をもっているとする。Ｊの直前の組織２（ＳＳ２）の中でのＪに捕らわれる各光線の様子は、▲３▼でも▲４▼でも幅広い面からの光線がＪに捕らわれ、同じと考えられる。▲３▼の組織１（ＳＳ１）と組織２（ＳＳ２）のＪの情報は▲４▼の組織１（ＳＳ１）と組織２（ＳＳ２）のＪの情報と同じであり、減算処理により血だけの情報を得ることができる。つまり指向性があったとしても拡散面光源と幅広い受光角特性をもつ点受光部が本発明の別の一つの要件となる。ＨとＪに角度的に指向性のない完全拡散特性であれば更に問題ない要件となる。又、ＨとＪの分光波長領域の構成は図６等で示した通りである。ただしこの場合は受光部は一個であり、また光源は面光源となっている。
図１１もまた鬱血方式の本発明の説明である。▲５▼と▲６▼の場合は▲１▼と▲２▼に比べ▲５▼は▲１▼と同じ状態を▲６▼は▲２▼と同じ状態を表しているが、Ｈが面発光部ではなくて点発光部の場合である。Ｈの点発光の光の広がり方は通常指向性をもったものが多く、Ｊの直前の組織２（ＳＳ２）の中でのＪに捕らわれる各光線の様子は、▲３▼と▲４▼では異なっている。▲５▼では血液の光拡散により幅広い面からの光線がＪに捕らわれ、▲６▼では血液が無いだけ光が広がってない。▲５▼と▲６▼の減算では組織１（ＳＳ１）、組織２（ＳＳ２）のノイズは消去されない。
▲７▼と▲８▼の場合は▲１▼と▲２▼に比べ▲７▼は▲１▼と同じ状態を▲８▼は▲２▼と同じ状態を表しているが、Ｈ、Ｊが面ではなくて点の場合を表している。Ｈの点発光の光の広がり方は通常指向性をもったものが多く、Ｊの直前の組織２（ＳＳ２）の中でのＪに捕らわれる各光線の様子は、▲３▼と▲４▼では異なっている。▲７▼では血液の光拡散により幅広い面からの光線がＪに捕らわれ、▲８▼では血液が無いだけ光が広がってない。▲７▼と▲８▼の減算では組織１（ＳＳ１）、組織２（ＳＳ２）のノイズは消去されない。即ち図１１は本発明の要件を満たしていない例である。ただし、Ｈからの光の広がり方が完全拡散でＪの受光角度特性も指向性のないものなら図１１の場合も本発明の要件を満たしている。又、▲５▼、▲６▼、▲７▼、▲８▼の場合、ＨとＪの分光波長領域の構成は図６等で示した通りである。ただしこの場合は受光部は一個であり、また受光部は面受光の場合を含んでいる。
図１２は本発明にかかる鬱血方式の説明図である。
鬱血の状態の説明図で、即ち体の末端においては血液は動脈ＤＯＵから毛細血管ＭＯＵに至り、毛細血管ＭＯＵから静脈ＪＯＵに到って流れている。外部からこれらを圧迫して、圧迫１（ＰＲ１）、圧迫２（ＰＲ２）で血流をとめた図である。外部から圧迫する場合、静脈は外部に近いところにあり図のようにＰＲ１で血流は止められる。さらに外部からの圧力を強くすると動脈も止めることになるがその場合血流全体がとまり鬱積しなくなる。鬱血とは動脈からはＭＯＵを経て静脈に血はながれ他端は止められていて、続いて静脈の圧力と動脈の圧力が等しくなり、静脈の血流がとまった状態をいう。ＰＲ１の圧力は、静脈はとまるが動脈はとまっていない状態にする圧力である。ＰＲ２はＭＯＵの部位のところで血流が泊まった状態を圧迫２として示している。
図１３は本発明にかかる説明図である。図１２の圧迫１（ＰＲ１）と圧迫２（ＰＲ２）を左右に広げ、組織１（ＳＳ１）、組織２（ＳＳ２）を入れ、図１０の▲３▼、▲４▼を入れた模式的な説明図である。鬱血ＵＫＫと虚血ＫＹＯとその中間の圧迫のない通常状態ＵＫＹを示している。鬱血ＵＫＫと通常ＵＫＹの場合は▲３▼と▲４▼に対応している。通常状態ＵＫＹは一部血液情報を含んでいるが鬱血ＵＫＫから通常状態ＵＫＹを減算して血液情報のみを取り出すことができる。重要なことは血液のみが増減して組織は変化しないことである。通常状態は圧迫１（ＰＲ１）、圧迫２（ＰＲ２）で圧迫がない場合を表しているが、圧迫があっても組織１（ＳＳ１）、組織２（ＳＳ２）が変化しない領域なら問題ない。また虚血状態ＫＹＯであっても組織が変化しない領域なら問題ない。
図１４は本発明にかかる一つの説明図である。図１３の各状態をつくる例図である。図のように指のある部分Ｂにおいてリング状の圧迫機能部ＰＲＦを用意する。この場合はリングが例えばゴムのチューブで出来ており外部から空気ＡＩＲを流入することによりＢ部を締め付けて圧迫して図１２のようにすることができる。逆に空気ＡＩＲを放出することにより圧迫から開放される。測定に必要な時間、圧迫して血流をとめてやればよい。次ぎにＨとＪは図１０の▲３▼、▲４▼が相当している。図のように指ＦＮをＪとＨの間にはさみ、この場合は、Ｊ部は稼働部ＫＡＤに固定され、稼働部ＫＡＤは固定部腕ＫＯＴＵの図の上下方向のみに自在に摺動する構成としている。一方、この場合は、図のように固定部腕ＫＯＴＵに固定された固定部ＫＯＴとＪとの間に空気バネＡＢを用意し、バネ定数は空気圧で調整できるものを使い、その調整により図１３の鬱血ＵＫＫ、虚血ＫＹＯ、中間の通常状態ＵＫＹをつくることができる。全体の構成の説明は図９と同じである。ただし受光部はＡかＢの一個である。図１３の圧迫機能部ＰＲＦで圧迫して鬱血と通常の状態で必要な光情報を受光部ＤＴより得て、受光部ＤＴで光が電流となりそれを  次ステップでＡ／Ｄ変換（ＡＤＦ）し  そのデジタル値を用いて必要なメモリー機能をもつ演算処理ＥＦで血糖値と付随して得られる必要な生体信号を表示ＤＰする。表示ＤＰは測定時の値のみではなく、必要に応じて過去のデータをメモリーする機能を演算処理部ＥＦに持ち、それらの値とか過去のデータの演算処理部ＥＦで統計処理等を施した値も表示ＤＰし、あるいは外部出力もする。
図１５は本発明にかかる一つの説明図である。図１４に示す機能全体を温度制御において温度変化ごとに取り出し独立現象の場合の数を増やして血糖値の測定値の精度を上げようとするものである。温度制御ＯＳＥは測定部位以上の温度制御ができ、それらは測定部位の温度を温度検知ＯＫＥで検知して制御できる。例えば３５℃〜１０℃の間で５℃おきに測定すればよい。手順はＢ部の圧迫、ある一定の温度の設定、図１４に示す手順、また別の一定温度の設定、図１４に示す手順、という形になる。各温度ごとに独立現象がえられ、これら増えた事象からより精度の高い演算が可能となり、正確な血糖値が求められる。また必要に応じて分光測定の個数を減じることもできる。ＢＢ部の圧迫時間、一定時間の温度制御には人体に対する問題ない限界値があり、それらは限界内での設定となることは当然である。
【発明の効果】
本発明によれば虚血状態、鬱血状態と通常血流状態で非侵襲測定で人体の血糖値を測ることができる。
【図面の簡単な説明】
【図１】本発明にかかる測定原理の説明図
【図２】本発明にかかる測定原理の説明図
【図３】本発明にかかる測定原理の説明図
【図４】本発明にかかる概略の説明図
【図５】本発明にかかる説明図
【図６】本発明にかかる説明図
【図７】本発明にかかる説明図
【図８】本発明にかかる説明図
【図９】本発明にかかる機能ブロックの説明図
【図１０】本発明にかかる測定原理の説明図
【図１１】本発明にかかる測定原理の説明図
【図１２】本発明にかかる説明図
【図１３】本発明にかかる説明図
【図１４】本発明にかかる概略の説明図
【図１５】本発明にかかる概略の説明図
【符号の説明】
ＰＲ                            圧迫
ＰＲＢ                          圧迫部
ＫＳ                            角質
ＳＴ                            体液
ＳＨ                            細胞
ＢＮ                            骨
ＰＲＭ                          圧迫部位
ＩＩＯ                          入射光
ＩＩＡ                          射出光
ＩＩＢ                          射出光
Ｐｏ                            光路
Ｐａ                            光路
Ｐｂ                            光路
Ｏ                              入射光位置
Ａ                              射出光位置
Ｂ                              射出光位置
ＯＴ                            皮膚外
ＩＮ                            皮膚内
ＦＮ                            指
Ｘ１                            距離
Ｘ２                            距離
ＩＩ１                          Ａ点の光強度
ＩＩ２                          Ｂ点の光強度
ＩＯ                            Ｏ点の光強度
ｄＡ                            Ｏ点とＡ°の距離
ｄ１                            Ａ°とＡの距離
ｄ２                            Ａ°とＢ°の距離
Ａ°                            Ａ点で皮膚に対し垂線をたてた線上のある点
Ｂ°                            Ｂ点で皮膚に対し垂線をたてた線上のある点
Ｉ１                            Ａ°点の光強度
Ｉ２                            Ｂ°点の光強度
Ｓ０                            入射光位置
Ｓ１，Ｓ２，・Ｓｎ−１，Ｓｎ    各射出光位置
ＤＴ                            受光部
ＬＳ                            発光部
ＤＰ                            表示部
Ａ／ＤＦ                        Ａ／Ｄ変換
ＤＣＭ                          ダイクロイックミラー
λ１                            分光波長λ１
λ２                            分光波長λ２
λ３                            分光波長λ３
Ｄ１                            受光部
Ｄ２                            受光部
ＬＦ                            左図
ＲＦ                            右図
ＫＤ                            吸光度
ＷＴ                            水
ＧＣ                            糖
ＨｂＯ２                        酸化ヘモグロビン
Ｓ’１，Ｓ’２，Ｓ”２          各射出光位置
ＦＮ                            ゆび
ＬＳ                            発光部
ＤＴ                            受光部
ＥＦ                            演算処理
ＤＰ                            表示
ＳＳ１                          組織１
ＳＳ２                          組織２
ＫＴ                            血液
ＯＲ                            各光路
Ｈ                              発光部
Ｊ                              受光部
ＰＲ１                          圧迫１の部位
ＰＲ２                          圧迫２の部位
ＤＯＵ                          動脈
ＪＯＵ                          静脈
ＭＯＵ                          毛細血管
ＵＫＫ                          鬱血状態
ＵＫＹ                          中間状態
ＫＹＯ                          虚血状態
ＰＲＦ                          圧迫機能部
ＡＩＲ                          空気
ＫＯＴ                          固定部
ＡＢ                            空気バネ
ＫＯＴＵ                        固定腕部
ＫＡＤ                          可動部
ＯＳＥ                          温度制御部
ＯＫＥ                          温度検知
ＢＢ                            圧迫部
【図１】
2005305091.tif 000003
【図２】
2005305091.tif 000004
【図３】
2005305091.tif 000005
【図４】
2005305091.tif 000006
【図５】
2005305091.tif 000007
【図６】
2005305091.tif 000008
【図７】
2005305091.tif 000009
【図８】
2005305091.tif 000010
【図９】
2005305091.tif 000011
【図１０】
2005305091.tif 000012
【図１１】
2005305091.tif 000013
【図１２】
2005305091.tif 000014
【図１３】
2005305091.tif 000015
【図１４】
2005305091.tif 000016
【図１５】
2005305091.tif 000017